(57)【要約】【課題】番組の収録時間とこの収録番組の放送時間との重なりによらず、放送に使用する収録番組データの編集を１台の装置で行なえるようにする。【解決手段】番組データの収録及び再生を独立して行なうことが可能な１台の番組サーバ１１を使用し、番組データの収録中において、運用者が番組サーバ１１の番組データメモリ１１４に記録されている番組データの中から放送に使用すべき複数のロールデータを抜き出し、これらロールデータと送出開始指示情報及び送出停止指示情報とを対応付けて指示情報メモリ１１５に登録しておく。そして、放送時間帯に、ＣＰＵ１１３は、放送中のロールデータの送出停止点の所定時間前に該ロールデータに対応する送出停止指示情報、及び次に読み出すべきロールデータに対応する送出開始指示情報を指示情報メモリ１１５から読み出して自動番組送出制御装置１４に伝送する。【選択図】　　図２
2004048249.tif 000002
【特許請求の範囲】
【請求項１】
外部に設けられた外部制御装置からの制御に基づいて、第１の記憶手段に第１時間長の番組データを記録している状態で、前記第１の記憶手段に記憶された番組データから前記第１時間長より短い第２時間長の番組データを生成し放送信号として送出する放送番組記録再生装置であって、
前記第１の記憶手段に記憶された第１時間長の番組データの中から第２時間長の番組データとして放送に使用すべき複数の放送成分データを抜き出し、これら放送成分データを表す識別情報ごとに、それぞれ送出開始点のデータが格納された前記第１の記憶手段の記憶領域を指示するための第１の指示情報及び送出停止点のデータが格納された前記第１の記憶手段の記憶領域を指示するための第２の指示情報を記憶する第２の記憶手段と、
前記外部制御装置から与えられ前記第１の記憶手段の記憶領域を特定するためのアドレスを含む再生指令信号に応じて前記第１の記憶手段から放送成分データを読み出して前記放送信号として送出し、かつ再生停止指令信号に応じて前記第１の記憶手段からの放送成分データの読み出しを停止するものであって、前記放送成分データの読み出し状態に基づいて、前記第２の記憶手段から該放送成分データに対応する第２の指示情報及び次に読み出すべき放送成分データに対応する第１の指示情報を読み出して前記外部制御装置に送出する再生制御手段とを具備し、
前記外部制御装置にて、前記第１の指示情報に基づいて前記再生制御手段に対し再生指令信号を与え、前記第２の指示情報に基づいて前記再生制御手段に対し再生停止指令信号を与えることを特徴とする放送番組記録再生装置。
【請求項２】
時刻情報を取得する時刻情報取得手段と、前記第２時間長の番組データの放送開始時刻を示す情報及び放送終了時刻を示す情報を記憶する第３の記憶手段とをさらに備え、
前記再生制御手段は、前記時刻情報取得手段により取得される時刻情報と前記第３の記憶手段に記憶された放送開始時刻を示す情報及び放送終了時刻を示す情報とをそれぞれ比較し、この比較結果に基づき放送開始時刻の所定時間前に前記外部制御装置に対し放送開始を指示し、放送終了時刻の所定時間前に前記外部制御装置に対し放送終了を指示することを特徴とする請求項１記載の放送番組記録再生装置。
【請求項３】
前記再生制御手段は、前記第１の記憶手段に記憶されている前記複数の放送成分データ及び前記第３の記憶手段の記憶内容に基づいて、前記第２時間長の番組データの不足部分を外部に提示する提示手段を備えることを特徴とする請求項２記載の放送番組記録再生装置。
【請求項４】
外部に設けられた外部制御装置からの制御に基づいて、第１の記憶手段に第１時間長の番組データを記録している状態で、前記第１の記憶手段に記憶された番組データから前記第１時間長より短い第２時間長の番組データを生成し放送信号として送出するものとし、
前記第１の記憶手段に記憶された第１時間長の番組データの中から第２時間長の番組データとして放送に使用すべき複数の放送成分データを抜き出し、これら放送成分データを表す識別情報ごとに、それぞれ送出開始点のデータが格納された前記第１の記憶手段の記憶領域を指示するための第１の指示情報及び送出停止点のデータが格納された前記第１の記憶手段の記憶領域を指示するための第２の指示情報を記憶する第２の記憶手段を備えた放送番組記録再生装置に適用される放送番組送出方法であって、
前記第２の記憶手段から前記第１の指示情報を読み出して前記外部制御装置に送出し、前記第１の指示情報に基づいて前記外部制御装置から与えられる再生指令信号に応じて、前記第１の記憶手段から該当する放送成分データを読み出して前記放送信号として送出し、この読み出し状態に基づいて、前記第２の記憶手段から該放送成分データに対応する第２の指示情報を読み出して前記外部制御装置に送出し、前記第２の指示情報に基づいて前記外部制御装置から与えられる再生停止指令信号に応じて、前記第１の記憶手段からの放送成分データの読み出しを停止するとともに、前記第２の記憶手段から次に読み出すべき放送成分データに対応する第１の指示情報を読み出して前記外部制御装置に送出することを特徴とする放送番組送出方法。
【請求項５】
前記請求項１記載の放送番組記録再生装置と、
この放送番組記録再生装置にて送出される第１の番組データとは独立した第２の番組データを送出する番組再生装置と、
前記放送番組記録再生装置の出力及び前記番組再生装置の出力のいずれか一方を放送信号として選択的に導出する切替スイッチと、
前記請求項１記載の外部制御装置として用いられ、前記放送番組記録再生装置から出力される第１の指示情報に基づいて、前記番組再生装置に対し再生停止指令信号を与え、前記放送番組記録再生装置に対し再生指令信号を与えた上で、前記切替スイッチを前記番組再生装置の出力から前記放送番組記録再生装置の出力に切り替え、前記放送番組記録再生装置から出力される第２の指示情報に基づいて、前記放送番組記録再生装置に対し再生停止指令信号を与え、前記番組再生装置に対し再生指令信号を与えた上で前記放送番組記録再生装置の出力から前記番組再生装置の出力に切り替える番組切替制御装置とを具備したことを特徴とする放送番組送出システム。
【請求項６】
前記放送番組記録再生装置は、前記第１及び第２の指示情報の送出時に、前記第２の番組データを送出させるための送出指示情報を前記第１及び第２の指示情報とともに前記番組切替制御装置に出力する送出指示情報出力手段を備えることを特徴とする請求項５記載の放送番組送出システム。
【発明の詳細な説明】
【０００１】
【発明の属する技術分野】
この発明は、例えば収録中にあるスポーツ番組を放送するために使用する放送番組記録再生装置、この放送番組記録再生装置の放送番組送出方法、及び放送番組記録再生装置を用いた放送番組送出システムに関する。
【０００２】
【従来の技術】
周知のように、例えばスポーツ番組を放送する放送システムにあっては、スポーツ番組をＶＴＲ（Ｖｉｄｅｏ　Ｔａｐｅ　Ｒｅｃｏｒｄｅｒ）のテープに収録し、この収録した番組データの中から放送すべき番組データを別のＶＴＲのテープにダビングするようにしている。
【０００３】
ところで、このような放送システムでは、スポーツ番組の収録時間と、この収録番組の放送時間が重なっても、該収録番組の放送を間断なく実行する必要がある。このような場合従来では、番組の収録を複数台のＶＴＲにより行なうようにしている。すなわち、番組の収録開始時に１台のＶＴＲにより番組の収録を行ない、番組の放送開始時刻の所定時間前に収録中にあるＶＴＲのテープに収録された番組データから放送する箇所を抜き取る編集をし、この編集結果を別のテープにダビングしている。この編集作業中に、残り未使用のＶＴＲのうちの１台を使用して番組収録処理を続行する。このような編集作業は、収録すべき番組が終了するまでＶＴＲごとに繰り返し行なわれる。
【０００４】
【発明が解決しようとする課題】
ところがこのような従来の方法では、番組の収録から放送すべき番組の編集及び放送までの作業の大半が人手により行なわれるため、番組編集に多くの手間と時間がかかるとともに、人為的ミスも発生しやすい。このため、放送直前での編集作業ができない。
【０００５】
また、番組の収録時間と、収録番組の放送時間と重なる時間が長くなる程、ＶＴＲの台数が増えることになり、さらにこのＶＴＲを操作する操作者の数も増えることになる。このため、番組編集に要する運用費用や人件費も増大することになる。さらに、放送すべき番組中にＣＭ（コマーシャル）も挟んで編集しなければならないため、編集作業に多くの手間がかかる。
【０００６】
この発明の目的は、番組の収録時間とこの収録番組の放送時間との重なりによらず、放送に使用する収録番組データの編集を１台の装置で迅速かつ適切に行なえるようにし、これにより運用者側におけるコスト及び労力の低減を可能とする放送番組記録再生装置、この放送番組記録再生装置の放送番組送出方法、及び放送番組送出システムを提供することにある。
【０００７】
【課題を解決するための手段】
この発明は、上記目的を達成するために、以下のように構成される。
（１）の発明に係る放送番組記録再生装置は、外部に設けられた外部制御装置からの制御に基づいて、第１の記憶手段に第１時間長の番組データを記録している状態で、第１の記憶手段に記憶された番組データを第１時間長より短い第２時間長の番組データに生成し放送信号として送出する放送番組記録再生装置を対象にしている。
そして、第１の記憶手段に記憶された第１時間長の番組データの中から第２時間長の番組データとして放送に使用すべき複数の放送成分データを抜き出し、これら放送成分データを表す識別情報ごとに、それぞれ送出開始点のデータが格納された第１の記憶手段の記憶領域を指示するための第１の指示情報及び送出停止点のデータが格納された第１の記憶手段の記憶領域を指示するための第２の指示情報を記憶する第２の記憶手段と、外部制御装置から与えられ第１の記憶手段の記憶領域を特定するためのアドレスを含む再生指令信号に応じて、第１の記憶手段から放送成分データを読み出して放送信号として送出し、かつ再生停止指令信号に応じて前記第１の記憶手段からの放送成分データの読み出しを停止するものであって、放送成分データの読み出し状態に基づいて、第２の記憶手段から該放送成分データに対応する第２の指示情報及び次に読み出すべき放送成分データに対応する第１の指示情報を読み出して外部制御装置に送出する再生制御手段とを具備し、外部制御装置にて、第１の指示情報に基づいて再生制御手段に対し再生指令信号を与え、第２の指示情報に基づいて再生制御手段に対し再生停止指令信号を与えるようにしたものである。
【０００８】
（１）の発明によれば、情報の書き込み及び読み出しを独立して行なうことが可能なメモリを備えた１台の装置を使用し、このメモリに記録されている第１時間長の番組データの中から放送に使用すべき複数の放送成分データを抜き出し、これら放送成分データと第１及び第２の指示情報とを対応付けることにより、放送成分データの読み出し状態に基づいて、この読み出し状態にある放送成分データに対応する第２の指示情報、及び次に読み出すべき放送成分データに対応する第１の指示情報が外部制御装置に伝送されることになる。
【０００９】
従って、外部制御装置では、上記第１及び第２の指示情報に基づいて、放送成分データの送出開始タイミング及び送出停止タイミングを把握することができ、この把握結果に基づき再生指令信号及び再生停止指令信号を任意に送出することができる。このため、運用者はメモリに記録されている第１時間長の番組データから複数の放送成分データを抜き出し、この放送成分データに対応付けて第１及び第２の指示情報を登録しておくだけで収録テープの巻き戻し操作や放送成分データを別のテープにダビングする操作が一切不要となり、これにより番組編集及び放送における操作上の負担は大幅に軽減される。また、番組編集に要する時間が短縮されることにより放送直前であっても番組編集が可能となり、さらに操作ミスの発生が防止されて正確で信頼性の高い番組編集及び放送を行なうことが可能となる。
【００１０】
（２）時刻情報を取得する時刻情報取得手段と、第２時間長の番組データの放送開始時刻を示す情報及び放送終了時刻を示す情報を記憶する第３の記憶手段とをさらに備え、再生制御手段は、時刻情報取得手段により取得される時刻情報と第３の記憶手段に記憶された放送開始時刻を示す情報及び放送終了時刻を示す情報とをそれぞれ比較し、この比較結果に基づき放送開始時刻の所定時間前に外部制御装置に対し放送開始を指示し、放送終了時刻の所定時間前に外部制御装置に対し放送終了を指示するようにしたものである。
【００１１】
（２）の発明によれば、放送すべき第２時間長の番組データの放送開始時刻を示す情報及び放送終了時刻を示す情報を記憶したメモリを用意しておくことにより、別途得られる時刻情報とメモリに記憶された放送開始時刻を示す情報及び放送終了時刻を示す情報とがそれぞれ比較されることで放送開始時刻の所定時間前及び放送終了時刻の所定時間前が判定され、この判定結果に基づき放送開始の指示情報及び放送終了の指示情報がそれぞれ外部制御装置に伝送されることになる。
従って、収録中の番組データの放送開始時刻及び放送終了時刻の判定が自装置において行なわれることになるため、外部制御装置の処理負荷は低く抑えられる。
【００１２】
（３）上記（１）の放送番組記録再生装置と、この放送番組記録再生装置にて送出される第１の番組データとは独立した第２の番組データを送出する番組再生装置と、放送番組記録再生装置の出力及び番組再生装置の出力のいずれか一方を放送信号として選択的に導出する切替スイッチと、放送番組記録再生装置から出力される第１の指示情報に基づいて、番組再生装置に対し再生停止指令信号を与え、放送番組記録再生装置に対し再生指令信号を与えた上で、切替スイッチを番組再生装置の出力から放送番組記録再生装置の出力に切り替え、放送番組記録再生装置から出力される第２の指示情報に基づいて、放送番組記録再生装置に対し再生停止指令信号を与え、番組再生装置に対し再生指令信号を与えた上で放送番組記録再生装置の出力から番組再生装置の出力に切り替える番組切替制御装置とを備えるようにしたものである。
【００１３】
（３）の発明によれば、放送番組記録再生装置から番組切替制御装置へ第１及び第２の指示情報が伝送されることになり、番組切替制御装置にて第１及び第２の指示情報に基づいて放送番組記録再生装置の出力及び番組再生装置の出力のうちのいずれか一方が放送信号として自動的に送出されることになる。
従って、番組切替制御装置の運用者にとって、予め第１の番組データの送出タイミング及び第２の番組データの送出タイミングをアンタイムで番組切替制御装置に設定するだけでよく、その分労力を大幅に低減することが可能となる。
【００１４】
（４）放送番組記録再生装置は、第１及び第２の指示情報の送出時に、第２の番組データを送出するための送出指示情報を第１及び第２の指示情報とともに番組切替制御装置に出力する切替指示情報出力手段を備えることを特徴とする。　（４）の発明によれば、放送番組記録再生装置の運用者が自身で第２の番組データの放送タイミングを判断して指示することができ、これにより放送成分データ間で第２の番組データを任意に放送させることが可能となる。
【００１５】
【発明の実施の形態】
以下、この発明の実施形態について図面を参照して詳細に説明する。
図１は、この発明の一実施形態とする放送番組送出システムの概略構成を示すブロック図である。
図１のシステムにおいて、バス１０には番組サーバ１１、ＣＭサーバ１２、スイッチャー１３及び自動番組送出制御装置（ＡＰＣ）１４が接続される。
【００１６】
番組サーバ１１は放送すべき番組データを記録し、自動番組送出装置１４からの再生指令信号に基づき、記録した番組データを再生してスイッチャー１３に出力する。また、自動番組送出装置１４からの再生停止指令信号に基づき、番組データを再生停止する。ＣＭサーバ１２は放送すべきＣＭ（コマーシャル）データを記録し、自動番組送出装置１４からの再生指令信号に基づき、記録したＣＭデータを再生してスイッチャー１３に出力する。これら番組サーバ１１の出力及びＣＭサーバ１２の出力は、スイッチャー１３によって選択的に導出され、以後放送信号として送出される。自動番組送出制御装置１４は、放送スケジュールデータに従って、番組サーバ１１及びＣＭサーバ１２に再生指令信号または再生停止指令信号を送出した上で、スイッチャー１３の切替制御を行なう。また、自動番組送出制御装置１４は、番組サーバ１１の出力及びＣＭサーバ１２の出力以外にも、他の番組データの送出制御及び切替制御も行なっている。
【００１７】
図２は、上記番組サーバ１１の構成を示すブロック図である。
図２において、データバス１１１上には入力インタフェース（Ｉ／Ｆ）、ＣＰＵ１１３、番組データメモリ１１４、指示情報メモリ１１５、放送スケジュールメモリ１１６、バスＩ／Ｆ１１７及び出力インタフェース（Ｉ／Ｆ）１１８が接続される。
【００１８】
入力インタフェース１１２から入力される収録中の番組データは、ＣＰＵ１１３によって番組データメモリ１１４に順次格納される。ＣＰＵ１１３は、端末１１９からの要求に応じて、番組データメモリ１１４に格納されている番組データを端末１１９に通知する。そして、端末１１９により図３に示す如く放送用に編集処理されたロールデータの識別情報を指示情報メモリ１１５に格納するとともに、このロールデータの識別情報に対応付けて送出開始点のデータが格納された番組データメモリ１１４の領域を指示するための送出開始指示情報及び送出停止点のデータが格納された番組データメモリ１１４の領域を指示するための送出停止指示情報を格納する。この記憶内容の一例を図４に示す。
【００１９】
また、ＣＰＵ１１３は、番組データの収録中において、バスインタフェース１１７を介して到来する自動番組送出制御装置１４からの再生指令信号が入力されたとき、番組データメモリ１１４に格納されたロールデータを読み出し、出力インタフェース１１８を介して出力する。このとき、ＣＰＵ１１３は、読み出されるロールデータが送出停止点に到達するか否かを監視しており、送出停止点に到達する所定時間前に、該ロールデータに対応する送出停止指示情報及び次に読み出すべきロールデータの送出開始指示情報を指示情報メモリ１１５から読み出し、バスインタフェース１１７を介して自動番組送出制御装置１４に送出する。なお、再生指令信号には、番組データメモリ１１４から読み出すべきロールデータの記憶領域を特定するためのアドレスが含まれている。また、ＣＰＵ１１３は、バスインタフェース１１７を介して到来する自動番組送出制御装置１４からの再生停止指令信号が入力されたとき、ロールデータの読み出し処理を停止する。
【００２０】
放送スケジュールメモリ１１６には、図５に示す如く、自動番組送出制御装置１４から与えられる放送開始時刻及び放送終了時刻を示すデータが格納されている。ＣＰＵ１１３は、タイマ１５で計時される時刻と放送スケジュールメモリ１１６に格納された放送開始時刻及び放送終了時刻とをそれぞれ比較し、この比較結果に基づき放送開始時刻の所定時間前（約３秒前）に自動番組送出制御装置１４に対し指示制御（ＴＡＫＥ制御）を行ない、また放送終了時刻の所定時間前に自動番組送出制御装置１４に対しＴＡＫＥ制御を行なう。
【００２１】
次に、上記構成による動作について説明する。
ここで、サッカーの試合を収録する場合、サッカーの試合は、例えば１５：００から１７：００までの２時間予定されているが、放送時間は１６：００から１７：３０の１時間３０分であったとする。この収録中にあるサッカー試合の番組データは、収録中のＶＴＲカメラから放送局に伝送され、この放送局中の番組サーバ１１に転送される。番組サーバ１１において、入力インタフェース１１２を介して到来した番組データは、ＣＰＵ１１３によって、番組データメモリ１１４に格納される。
【００２２】
端末１１９から番組データの編集要求が到来すると、ＣＰＵ１１３は番組データメモリ１１４に格納されている番組データを端末１１９に通知する。このとき、自動番組送出制御装置１４からＣＰＵ１１３に対し図６（ａ）に示す番組のフォーマットデータが通知され、ＣＰＵ１１３はこのフォーマットデータを端末１１９に通知する。端末１１９の操作者は、通知された番組データの中から放送に使用するロールデータを抜き出し、このロールデータを図６（ｂ）に示すようにフォーマットデータの本編部分にはめこむ処理を行ない、それとともにロールデータの送出開始点及び送出停止点を指定する。すると、ＣＰＵ１１３は、端末１１９にて編集されたフォーマットデータを放送スケジュールメモリ１１６に格納し、また指定されたロールデータの送出開始点の指示情報及び送出停止点の指示情報をロールデータの識別情報に対応付けて指示情報メモリ１１５に格納する。
【００２３】
そして、ＣＰＵ１１３は、放送スケジュールメモリ１１６に記憶されている放送開始時刻（１６：００）の約３秒前に自動番組送出制御装置１４に対しＴＡＫＥ制御を行ない、図７に示す制御処理を開始する。
この制御処理を開始すると、ＣＰＵ１１３は自動番組送出装置１４から到来する再生指令信号の入力があるか否かの判断を行ない（ステップＳＴ７ａ）、再生指令信号が入力されたならば（Ｙｅｓ）、番組データメモリ１１４から該当するロールデータを読み出して出力インタフェース１１８に転送し（ステップＳＴ７ｂ）、この読み出し状態にあるロールデータの送出停止点の所定時間前になるか否かの判断を行ない（ステップＳＴ７ｃ）、所定時間前になるまで上記ステップＳＴ７ｂ乃至ステップＳＴ７ｃの処理を繰り返し実行する。
【００２４】
そして、送出停止点の所定時間前になったならば（Ｙｅｓ）、ＣＰＵ１１３は指示情報メモリ１１５から読み出し中のロールデータに対応する送出停止指示情報及び次に読み出すべきロールデータの送出開始指示情報を読み出して自動番組送出装置１４に送出する（ステップＳＴ７ｄ）。
【００２５】
このとき、ＣＰＵ１１３は、放送スケジュールメモリ１１６の記憶内容を監視しており、ロールデータ間にＣＭデータが挟まる場合に、送出停止指示情報にＣＭデータを送出する旨を含めて自動番組送出制御装置１４に送出し、ＣＭデータの放送時間終了の所定時間前に次のロールデータの送出開始指示情報を自動番組送出装置１４に送出する。
【００２６】
また、ＣＰＵ１１３は、タイマ１５で計時される時刻が放送スケジュールメモリ１１６に記憶されている番組の放送終了時刻の所定時間前（約３秒前）になるか否かの監視も行なっており、所定時間前になった時点で、自動番組送出制御装置１４に対しＴＡＫＥ制御を行なって、番組の送出処理を終了する。
【００２７】
以上のように上記実施形態では、番組データの収録及び再生を独立して行なうことが可能な１台の番組サーバ１１を使用し、番組データの収録中において、運用者が番組サーバ１１の番組データメモリ１１４に記録されている番組データの中から放送に使用すべき複数のロールデータを抜き出し、これらロールデータと送出開始指示情報及び送出停止指示情報とを対応付けて指示情報メモリ１１５に登録しておくようにしている。これにより、放送時間帯に、ＣＰＵ１１３により放送中のロールデータの送出停止点の所定時間前に送出停止指示情報が指示情報メモリ１１５から読み出されて自動番組送出制御装置１４に伝送されることになり、そして、次に読み出すべきロールデータに対応する送出開始指示情報が指示情報メモリ１１５から読み出されて自動番組送出制御装置１４に伝送されることになる。
【００２８】
従って、自動番組送出制御装置１４では、上記送出停止指示情報及び送出開始指示情報に基づいて、ロールデータの送出開始タイミング及び送出停止タイミングを把握することができ、この把握結果に基づき再生指令信号を任意に送出することができる。このため、番組サーバ１１の運用者は番組データメモリ１１４に記録されている番組データから複数のロールデータを抜き出し、このロールデータに対応付けて送出開始指示情報及び送出停止指示情報を登録しておく操作だけで収録テープの巻き戻し操作やロールデータを別のテープにダビングする操作が一切不要となり、これにより番組編集及び放送における操作上の負担は大幅に軽減される。また、番組編集に要する時間が短縮されることにより放送直前であっても番組編集が可能となり、さらに操作ミスやイベント変更ミスの発生が防止されて正確で信頼性の高い番組編集及び放送を行なうことが可能となる。
【００２９】
また、上記実施形態では、番組サーバ１１に、放送すべき番組データの放送開始時刻を示す情報及び放送終了時刻を示す情報を記憶した放送スケジュールメモリ１１６を備えておくことにより、タイマ１５により得られる時刻情報と放送スケジュールメモリ１１６に記憶された放送開始時刻を示す情報及び放送終了時刻を示す情報とがそれぞれ比較されることで放送開始時刻の所定時間前及び放送終了時刻の所定時間前が判定され、この判定結果に基づき自動番組送出制御装置１４に対し放送開始のＴＡＫＥ制御及び放送終了のＴＡＫＥ制御がそれぞれ行なわれることになる。
従って、収録中の番組データの放送開始時刻及び放送終了時刻の判定が番組サーバ１１において行なわれることになるため、自動番組送出制御装置１４の処理負荷は低く抑えられる。
【００３０】
また、上記実施形態によれば、番組サーバ１１の運用者が自身でＣＭデータの放送タイミングを判断して指示することができ、これにより本編の番組データ間でＣＭデータを任意に放送させることができる。また、自動番組送出制御装置１４の放送スケジュールデータは、アンタイムで作成しておけばよいので、編集結果からの放送スケジュールデータの変更作業が一切不要となり、これにより自動番組送出制御装置１４の運用者にとっては、詳細な放送スケジュールデータを設定する必要がなく、その分労力を大幅に低減することができる。
【００３１】
さらに、上記実施形態では、放送スケジュールデータにロールデータの放送時間をはめこんだ結果不足している場合に、その不足している本編長を表示することができ、これにより不足箇所に新たなロールデータを追加することも可能である。
なお、この発明は上記実施形態に限定されるものではない。例えば、上記実施形態では、ロールデータ間にＣＭデータを放送する例について説明した。しかしこれに限ることなく、ＣＭ以外の緊急速報や臨時ニュース等を放送するようにしてもよい。
【００３２】
また、上記実施形態では、タイマ１５により計時される時刻と放送スケジュールメモリ１１６に記憶される放送開始時刻及び放送終了時刻との比較結果に基づいて、自動番組送出制御装置１４に対しＴＡＫＥ制御を行なう例について説明した。しかしこれに限ることなく、外部の時計で計時される時刻情報を取得するようにしてもよい。
【００３３】
また、上記実施形態では、放送開始時刻及び放送終了時刻の管理を番組サーバ１１で行なう例について説明した。しかしこれに限ることなく、放送開始時刻及び放送終了時刻の管理を自動番組送出制御装置１４で行なうようにしてもよい。
この他、番組送出システムの構成、番組サーバの構成、取り扱う放送番組の種類、番組の送出手順等についても、この発明の要旨を逸脱しない範囲で種々変形して実施できる。
【００３４】
【発明の効果】
以上詳述したようにこの発明によれば、番組の収録時間とこの収録番組の放送時間との重なりによらず、放送に使用する収録番組データの編集を１台の装置で迅速かつ適切に行なえるようにし、これにより運用者側におけるコスト及び労力の低減を可能とする放送番組記録再生装置、この放送番組記録再生装置の放送番組送出方法、及び放送番組送出システムを提供することができる。
【図面の簡単な説明】
【図１】この発明の一実施形態とする放送番組送出システムの概略構成を示すブロック図。
【図２】図１に示した番組サーバの構成を示すブロック図。
【図３】この実施形態で取り扱うロールデータを示す図。
【図４】図２に示した指示情報メモリの記憶内容の一例を示す図。
【図５】図２に示した放送スケジュールメモリの記憶内容の一例を示す図。
【図６】この実施形態における放送スケジュールデータにロールデータの放送時間をはめこんだ場合の例を説明するために示す図。
【図７】図２に示したＣＰＵの番組送出手順を示すフローチャート。
【符号の説明】
１０…バス、
１１…番組サーバ、
１２…ＣＭサーバ、
１３…スイッチャー、
１４…自動番組送出制御装置（ＡＰＣ）、
１５…タイマ、
１１１…データサーバ、
１１２…入力インタフェース、
１１３…ＣＰＵ、
１１４…番組データメモリ、
１１５…指示情報メモリ、
１１６…放送スケジュールメモリ、
１１７…バスインタフェース、
１１８…出力インタフェース、
１１９…端末。
【図１】
2004048249.tif 000003
【図２】
2004048249.tif 000004
【図３】
2004048249.tif 000005
【図４】
2004048249.tif 000006
【図５】
2004048249.tif 000007
【図６】
2004048249.tif 000008
【図７】
2004048249.tif 000009